(57)【要約】      （修正有）【課題】加熱調理された食品を店頭で簡単に保温するのに適した食品保温装置を提供する。【解決手段】調理の際に水蒸気が発生する調理装置部１の上部に支持されて加熱調理された食品が載せられる食品陳列棚２を備える。食品陳列棚２は、底面２１に調理装置部１から発生した水蒸気が通過する水蒸気孔２３を穿孔し、調理装置部１の横方向へスライド可能とする。調理装置部１には、下部に食品陳列棚２のスライド方向に突出されて設置床面に当接される転倒防止具１４を設ける。【選択図】図１
0003164497.tif 000002
【実用新案登録請求の範囲】
【請求項１】
調理の際に水蒸気が発生する調理装置部の上部に支持されて加熱調理された食品が載せられる食品陳列棚を備え、食品陳列棚は底面に調理装置部から発生した水蒸気が通過する水蒸気孔が穿孔されて調理装置部の横方向へスライド可能であることを特徴とする食品保温装置。
【請求項２】
請求項１の食品保温装置において、調理装置部は下部に食品陳列棚のスライド方向に突出されて設置床面に当接される転倒防止具が設けられていることを特徴とする食品保温装置。
【請求項３】
請求項１または２の食品保温装置において、調理装置部は調理のために加熱される水が貯溜される貯水槽を備え、食品陳列棚は調理装置部の貯水槽の直上に支持されることを特徴とする食品保温装置。
【考案の詳細な説明】
【技術分野】
【０００１】
本考案は、加熱調理された食品を保温する食品保温装置に係る技術分野に属する。
【背景技術】
【０００２】
最近、食品の販売を促進するために、小型の調理装置を使用して商品が陳列されている店頭の一画で調理材料を調理して食品を提供する実演販売が行われるようになってきている。この実演販売において調理材料を加熱調理した場合には、食品を保温する必要性が生ずる。このため、加熱調理された食品を店頭で簡単に保温することのできる技術の開発が要望されている。
【０００３】
従来、食品を簡単に保温する技術としては、例えば、特許文献１に記載のものが知られている。
【０００４】
特許文献１には、加熱調理された食品が載せられたパレットをスライドさせて保温庫に出入れさせるようにした食品保温装置が記載されている。
【０００５】
特許文献１に係る食品保温装置は、パレットを使用して保温庫に対する食品の出入れを容易にすることで、加熱調理された食品を簡単に保温することができるようにしたものである。
【先行技術文献】
【特許文献】
【０００６】
【特許文献１】特開２００５−３４９０９４号公報
【考案の概要】
【考案が解決しようとする課題】
【０００７】
特許文献１に係る食品保温装置では、かなりの容積をもった保温庫を備えなければならないため、設置スペースが大きくなってしまい、加熱調理された食品を店頭で簡単に保温するには不適であるというという問題点がある。
【０００８】
本考案は、このような問題点を考慮してなされたもので、加熱調理された食品を店頭で簡単に保温するのに適した食品保温装置を提供することを課題とする。
【課題を解決するための手段】
【０００９】
前述の課題を解決するため、本考案に係る食品保温装置は、実用新案登録請求の範囲の各請求項に記載の手段を採用する。
【００１０】
即ち、請求項１では、調理の際に水蒸気が発生する調理装置部の上部に支持されて加熱調理された食品が載せられる食品陳列棚を備え、食品陳列棚は底面に調理装置部から発生した水蒸気が通過する水蒸気孔が穿孔されて調理装置部の横方向へスライド可能であることを特徴とする。
【００１１】
この手段では、調理の際に水蒸気が発生する調理装置部と加熱調理された食品が載せられる食品陳列棚とを一体化させ調理装置部で発生した水蒸気を食品陳列棚での食品の保温の熱源とし、食品陳列棚を調理装置部の横方向へスライド可能にして調理装置部の使用の邪魔になるのを避けることができるように一体化の不利を改善することで、設置スペースを小さくしている。
【００１２】
また、請求項２では、請求項１の食品保温装置において、調理装置部は下部に食品陳列棚のスライド方向に突出されて設置床面に当接される転倒防止具が設けられていることを特徴とする。
【００１３】
この手段では、調理装置部に転倒防止具が設けられることで、加熱調理された食品が載せられた食品陳列棚がスライドして全体の重量バランスが変化しても転倒することがなくなる。
【００１４】
また、請求項３では、請求項１または２の食品保温装置において、調理装置部は調理のために加熱される水が貯溜される貯水槽を備え、食品陳列棚は調理装置部の貯水槽の直上に支持されることを特徴とする。
【００１５】
この手段では、食品陳列棚が調理装置部の貯水槽の直上に支持されることで、調理装置部の貯水槽から上昇する水蒸気を効率的に保温に利用することができる。
【考案の効果】
【００１６】
本考案に係る食品保温装置は、調理の際に水蒸気が発生する調理装置部と加熱調理された食品が載せられる食品陳列棚とを一体化させ調理装置部で発生した水蒸気を食品陳列棚での食品の保温の熱源とし、食品陳列棚を調理装置部の横方向へスライド可能にして調理装置部の使用の邪魔になるのを避けることができるように一体化の不利を改善することで、設置スペースを小さくしているため、加熱調理された食品を店頭で簡単に保温するのに適する効果がある。
【００１７】
さらに、請求項２として、調理装置部に転倒防止具が設けられることで、加熱調理された食品が載せられた食品陳列棚がスライドして全体の重量バランスが変化しても転倒することがなくなるため、安全に使用することができるようになる効果がある。
【００１８】
さらに、請求項３として、食品陳列棚が調理装置部の貯水槽の直上に支持されることで、調理装置部の貯水槽から上昇する水蒸気を効率的に保温に利用することができるため、保温効率が高くなる効果がある。
【図面の簡単な説明】
【００１９】
【図１】本考案に係る食品保温装置を実施するための形態の斜視図である。
【図２】図１の他の動作図である。
【図３】図２の使用状態の側面図である。
【考案を実施するための形態】
【００２０】
以下、本考案に係る食品保温装置を実施するための形態を図面に基づいて説明する。
【００２１】
この形態では、走行移動性を有するものが示されている。
【００２２】
この形態は、調理装置部１，食品陳列棚２で構成されている。
【００２３】
調理装置部１は、水を加熱して茹調理，蒸調理からなる加熱調理を行う小型の調理装置からなるもので、機体１１の上半部に貯水槽１２が設けられ、機体１１の上端部に食品陳列棚２が支持されている。
【００２４】
調理装置部１の機体１１は、フレーム材１１ａで直方体形に形成され、フレーム材１１ａの下半部に装飾板１１ｂが張設され、フレーム材１１ａの上半部（貯水槽１２が配置されている部分）に多数個の小孔が穿孔された遮熱板１１ｃが張設されている。機体１１の下端部には、走行移動を可能にするキャスタ１３が取付けられている。機体１１の下部の前方側には、転倒防止具１４が取付けられている。転倒防止具１４は、機体１１に固定され前方側に突出されたアングル１４ａと、アングル１４ａに螺合され設置床面Ｅに当接される調整ネジ１４ｂとからなる。機体１１の上端部には、食品陳列棚２をスライドさせるスライド案内機構１５が取付けられている。スライド案内機構１５は、レール，ベアリング等で構成され貯水槽１２の上端部から少し立上げられて食品陳列棚２を前方側の横方向へスライドさせることができるように配設されている。
【００２５】
調理装置部１の貯水槽１２は、調理のために加熱される水が貯溜されるもので、下部の内部に水を加熱するヒータ１６が内蔵され、開放された上端部が上蓋１７で着脱開閉されるようになっている。上蓋１７は、貯水槽１２で発生した水蒸気Ｈの漏出を阻止する板形の蓋本体１７ａと、蓋本体１７ａの中央部に取付けられ手を掛けて持上げるための取手１７ｂと、蓋本体１７ａに穿孔され貯水槽１２で発生した水蒸気Ｈの一部の通過を許容する複数個の水蒸気孔１７ｃとからなる。
【００２６】
食品陳列棚２は、調理装置部１の機体１１の上部の前方側の大部分を覆う面積の底面２１の後方側を除く３辺に側面２２が立上げられた棚形に形成されている。底面２１には、調理装置部１の貯水槽１２で発生し上蓋１７の水蒸気孔１７ｃを通過した水蒸気Ｈが通過する多数個の小孔からなる水蒸気孔２３が穿孔されている。底面２１の後方側の辺には、手を掛けてスライドさせるための取手２４が取付けられている。この食品陳列棚２は、後方側へのスライドで調理装置部１の貯水槽１２の直上に位置され、前方側へのスライドで調理装置部１の貯水槽１２の上端部を開放するように設定されている。
【００２７】
この形態を使用するには、図１に示すように、食品陳列棚２を前方側にスライドさせ調理装置部１の貯水槽１２から上蓋１７を取外した状態としておき、調理装置部１の貯水槽１２の内部に水を注入し調理材料Ｂを投入することになる。
【００２８】
この後、図２に示すように調理装置部１の貯水槽１２に上蓋１７を被せて水をヒータ１６で加熱することにより、調理材料Ｂを加熱調理する。この加熱調理では、貯水槽１２における水の水位の調整や網状の上下仕切板の設置等で茹調理，蒸調理等を選択することができる。
【００２９】
調理装置部１の貯水槽１２で加熱調理された食品Ｆについては、図１に示すように、食品陳列棚２を前方側にスライドさせ調理装置部１の貯水槽１２から上蓋１７を取外した状態とすることで、貯水槽１２から取出して容易に食品陳列棚２の底面２１に載せることができる。なお、食品陳列棚２が前方側にスライドされた状態で加熱調理された食品Ｆが載せられると、全体の重量バランスが変化することになるが、転倒防止具１４によって転倒が防止される。
【００３０】
食品陳列棚２の底面２１に載せられた食品Ｆは、図３に示すように、続いて行われる加熱調理で調理装置部１の貯水槽１２から発生し上蓋１７の水蒸気孔１７ｃを通過した水蒸気Ｈが底面２１に穿孔された水蒸気孔２３を通過することで、水蒸気Ｈとの接触で保温されることになる。この保温では、調理装置部１の上蓋１７の水蒸気孔１７ｃの構造から食品Ｆへの水蒸気Ｈの接触量が制約されているため、食品Ｆの含水分量が過多になることがない。また、図３に示す状態では、食品陳列棚２が調理装置部１の貯水槽１２の直上に位置されるため、水蒸気Ｈの拡散が少なく効率的な食品Ｆの保温を期待することができる。
【００３１】
この形態によると、調理の際に水蒸気Ｈが発生する調理装置部１と加熱調理された食品Ｆが載せられる食品陳列棚２とを一体化させ、調理装置部１で発生した水蒸気Ｈを食品陳列棚２での食品Ｆの保温の熱源としている。そして、食品陳列棚２を調理装置部１の横方向へスライド可能にして調理装置部１の使用の邪魔になるのを避けることができるようして、一体化の不利が改善されている。従って、設置スペースを小さくすることができ、加熱調理された食品Ｆを店頭で簡単に保温するのに好適である。
【００３２】
以上、図示した形態の外に、水蒸気Ｈが発生するものであれば他の構造の調理装置部１を選択することも可能である。
【産業上の利用可能性】
【００３３】
本考案に係る食品保温装置は、実演販売以外にパーティー会場等での小規模の調理，保温に利用することも可能である。
【符号の説明】
【００３４】
１            調理装置部
１４          転倒防止具
２            食品陳列棚
２１          底面
２３          水蒸気孔
Ｆ            食品
Ｈ            水蒸気
【図１】
0003164497.tif 000003
【図２】
0003164497.tif 000004
【図３】
0003164497.tif 000005